(57)【特許請求の範囲】
【請求項１】
静磁場(Ｂ０)により取り囲まれ、ボリュームの中で少なくとも部分的に患者の像を描くように適用されるＭＲＩイメージングボリュームと、
少なくとも１個の傾斜磁場コイルと、
患者上に配置されるセンサであって、そのセンサの位置に従って患者の生理的な事象を表わす出力を生じるセンサと、
プロセッサおよび関連するメモリを有し、前記少なくとも１個の傾斜磁場コイルと前記センサに作動的に結合されているコントローラとを備え、
前記メモリは前記少なくとも１個の傾斜磁場コイルに適用されることができる少なくとも１つの短縮された試験パルスシーケンスを表わすデータを格納し、前記短縮された試験パルスシーケンスは、患者のイメージデータを取得するためにその正規の使用で適用されるパルスシーケンスとは無関係であり、
前記コントローラは前記センサからの出力信号を受取り、患者上のセンサの位置が適正な場合に、前記センサから生じる出力信号により前記少なくとも１つの短縮された試験パルスシーケンスを前記傾斜磁場コイルへゲートを通し、前記傾斜磁場コイルから可聴音を発生させることを含む磁気共鳴イメージング（ＭＲＩ）システム。
【請求項２】
前記センサが鼓動センサである請求項１のＭＲＩシステム。
【請求項３】
前記センサが呼吸センサである請求項１のＭＲＩシステム。
【請求項４】
前記センサが血液パルスセンサである請求項１のＭＲＩシステム。
【請求項５】
走査のために準備されている患者の上に配置される少なくとも1個の生理的な事象センサを有するＭＲＩシステムであって、
患者のＭＲＩ走査中にＭＲＩデータを取得するため関連した回路を経てＲＦコイルおよび傾斜磁場コイルに結合されたプログラムされたコントローラと、
前記コントローラに接続され短縮された試験パルスシーケンスを含んでいるプログラムメモリとを備え、
前記短縮された試験パルスシーケンスは、患者のイメージデータを取得するためにその正規の使用で適用されるパルスシーケンスとは無関係であり、
前記短縮された試験パルスシーケンスは、実行されるとき、少なくとも１個の前記傾斜磁場コイルを活性化するため少なくとも１個の前記生理的な事象センサにより起動され、前記生理的な事象センサが患者上の適正な位置に配置されている場合、前記傾斜磁場コイルから可聴音を発生させるＭＲＩシステム。
【発明の詳細な説明】
【０００１】
【発明の属する技術分野】
この発明は全般的に磁気共鳴(ＭＲ)イメージング技術に関する。特に、発明は画像化されている患者の鼓動、血液パルス、または呼吸などのような生理的な状態を検出する患者センサで起動および／または同期されるＭＲイメージングに関連する。
【０００２】
【従来の技術】
磁気共鳴イメージング(ＭＲＩ)は、磁気共鳴(ＭＲ)現象に感応しやすい原子核の実質的な集団を有する、（人体のような）対象物の内部構造を表すデジタル化された可視イメージを得るために広く受け入れられ、かつ商業的に利用可能な技術である。ＭＲＩにおいて、画像化すべき患者の人体の核は、核に強い主磁場(Ｂ０)を印加することによって分極される。核は固有のＭＲ(Lamor)周波数で無線周波数(ＲＦ)信号によって励起される。人体を取り囲む局所化された磁場を空間的に分布して、核から結果として起こるＲＦ応答を分析することによって、それらの空間的な位置の関数としてこれらの核応答のマップ、即ち、イメージが発生されかつ表示される。核の応答のイメージは患者の内部臓器と他の組織の非侵入的な視点を提供する。
【０００３】
図１に示されるように、ＭＲイメージングシステムは、典型的に静磁場(Ｂ０)を印加するための磁石１０、３つのそれぞれ直交座標に沿って傾斜を有する空間的に分布された傾斜磁場(Ｇｘ , Ｇy ,およびＧz)を印加する傾斜コイル１２、および画像化される人体の選択された核へ、および核からＲＦ信号を送受信するＲＦコイル１４と１６を含む。画像化すべき患者の位置がＭＲＩシステムの視野(ＦＯＶ)を定義する磁石およびコイル間の“イメージングボリューム”内で３次元に動かされるように、患者１８が患者テーブル２０に横たわる。心電図(ＥＫＧ)センサ２１などの１個以上のセンサが、鼓動などのような患者の生理的な状態を監視するために患者の上に置かれるかもしれない。
【０００４】
ＭＲＩシステムオペレーターはキーボード、スクリーン、および他のオペレータ入力／出力装置を有するコンピュータワークステーション２２を通してシステムを制御する。ＭＲＩシステムオペレーターは可動テーブル２０を使用してイメージングボリューム内に患者を位置付け、イメージングの間、患者を監視するセンサ２１を取り付けるかもしれない。
【０００５】
センサ２１は患者の鼓動、呼吸、血液パルスおよび／または他の生理的な状態を監視する。これらのセンサにより発生される信号は監視されている生理的な状態でＭＲイメージングを起動または同調させるためにＭＲＩシステムによって適用されるかもしれない。例えば、鼓動センサは鼓動している心臓に同調されたＭＲイメージングシーケンスを起動するように、適用される患者の鼓動を表す信号を発生する。鼓動している心臓とのＭＲイメージの同期は鼓動している心臓の静画像の明瞭度を改良し、または心臓のリアルタイムのイメージを可能にする。同様に、生理的な状態を監視するセンサは患者の呼吸、血液パルス、および他の状態とＭＲイメージングを同調させるために使用されてもよい。また、モニタからの信号はイメージデータと同時記録されて、後工程のために使用されるかもしれない。
【０００６】
生理的な状態を監視するセンサはよく知られている。例えば、患者の皮膚に取り付けられたＥＫＧ電気センサは、心臓からの電気信号を検出して鼓動を表す信号を発生する。患者の鼻か口の近くに取り付けられた流体流れセンサは患者の息を検出して呼吸信号を発生する。同様に、患者の胸または背に取り付けられた電気機械センサは、患者の呼吸を示す信号を発生するため腹部の形の変化を検出する。血液パルスは皮膚から反射される光を検出する光センサにより、または、患者の腕に巻きつけられた膨らんだ空気袋における圧力変化を検出する圧力センサによって検出することができる。
【０００７】
患者の身体へのそのようなセンサの配置は臨界的である場合がある。センサが最適に設置されなければ、ＭＲＩ走査を起動することが影響され得る。例えば、センサで発生するアナログの信号は、検出閾値を通過することさえ不十分な大きさであるかもしれない。代わりに、予定の閾値を通る経過が不正確な時間および／または信頼できないかもしれない。したがって、高価で時間がかかる実際のＭＲＩ走査が行われる前に、センサの配置は正確さをチェックされるべきである。
【０００８】
ＭＲイメージングの前に患者への適切なセンサ配置を表す音響および／または視覚の信号フィードバックを提供することは難しい場合がある。ＭＲイメージングは漂遊電磁放出に非常に敏感である。そのような放出は信号ワイヤおよびセンサに関連づけられる回路によって放出されるかもしれない。異質な放出による干渉を抑えるために、ＭＲＩイメージングルーム内および特に患者の近くのワイヤおよび回路は最少にされる。特に、望ましくは、ＭＲイメージングルーム中のワイヤは傾斜磁場コイルおよびＲＦコイルに必要であるそれらのワイヤだけに制限される。一般に、他の信号ワイヤおよび回路はＭＲイメージングルームから排除される。
【０００９】
患者センサ配置の視覚フィードバックを提供するためにしばしば使用される従来のＣＲＴオシロスコープは、ＭＲＩガントリールーム中の強いＢ０磁場の存在のもとでは使用することができない。さらに、ガントリールームに残されるならば、オシロスコープと連繋される付加的なワイヤおよび回路はＭＲＩのプロセスで不要な干渉を引き起こすかもしれず、その結果、通常ガントリールームの外の不便な場所に配置しなければならない。センサ配置を監視するためにガントリールームの外でＭＲＩシステムモニタが利用されるならば、同様な不便の問題が起こる。そのうえ、オシロスコープまたはＭＲＩシステムモニタが使用されたとしても、それはＭＲＩシステムの費用に加算されるであろう。それでもさらに、補助モニタを見るために、オペレータはセンサが適切に配置され機能しているかどうか決定するためにＭＲＩイメージングスクリーンから向きをかえることを、その視覚表示は要求する。したがって、インルームモニタがＭＲＩシステムのために開発されたが(Kaufman等に発行された米国特許Ｎｏ.５,１８４,０７４参照)、それらはコスト、複雑さおよび漂遊ＲＦ放出の可能性などの様々な欠点がある。
【００１０】
ＭＲＩでは、鼓動、血液パルスまたは呼吸などのような生理的に発生された信号で画像獲得シーケンスを起動または同調することが時々望ましい。典型的なＭＲＩシステムは、デジタルオンオフ信号がそのような起動または同調を機械内に作り出すために使用される入力を提供する。
【００１１】
このディジタル信号を発生させるために、アナログの信号が最初に関心のある生理的な過程の直接監視により作り出される。鼓動のためのＥＫＧ検出、呼吸のための息または腹の形、および血流のための圧力または反射光の例がある。これらの過程で作り出される信号は連続しているので、起動レベルまたは閾値が所望のオンオフ信号を引出すために設定されなければならない。
【００１２】
アナログ検出装置が人体にまたはそれと相互作用する他の方法で取着され、患者から患者への可変性のために、オペレータはある方法でそれらを配置する必要があり、または信頼できる信号を得るために異なる位置を試験することを必要とする。したがって、信号は監視される必要がある。これはオシロスコープで、または連続した信号をデジタル化してＭＲＩコンソールモニタ上にそれを表示することによって通常行われる。
【００１３】
【発明が解決しようとする課題】
オシロスコープ自体は時々ＭＲＩオペレータの能力を超えて調整を必要とし、オシロスコープは費用を付加し、かつＭＲＩ磁石の近くでは作働しない。コンソールディスプレイが信頼できて簡単であるが、オペレータは患者と異なったルームにあるコンソールの間を移動することを必要とする。これは設定過程に時間がかかる。リアルタイムディスプレイのためのインルームモニタ（ＵＳＰ５,１８４,０７４）は信号を表示するのに使用できるが費用を付加する。
【００１４】
ＭＲＩガントリールーム内でＥＫＧ鼓動信号のようなセンサ信号フィードバックを提供する経済的な装置の必要がＭＲＩ技術者に長い間感じられていた。この装置が特にＭＲイメージングルーム内で余分なワイヤと回路を付加しないことが望ましい。
【００１５】
【課題を解決するための手段】
この発明はＭＲＩを受けようと準備している患者の生理的なセンサの配置の適切さに関して、直接リアルタイムフィードバックをＭＲＩ装置のオペレータに提供する。基本的に、特別なイメージングシーケンス…どんなイメージデータを作り出すためにも実際には使用されない、多分単一の傾斜磁場コイルの単一パルスだけから成るもの…が患者に配置されたセンサにより検出される特定の生理的な現象の発生によってゲートを通される(すなわち、起動される)。一般に傾斜磁場コイルが独特な鋭い雑音を生成するので、それらがパルスを与えられるとき、特別なイメージングシーケンスの起動が直接顕著かつ確認可能な音響の生成をもたらす。
【００１６】
実際には、生理的な現象でゲートを通される特別なイメージングシーケンスモードは患者におけるセンサの配置のすぐ前に開始される。オペレータはその時、センサの異なった配置を試験することが自由である。センサが不適切に置かれると、特別なイメージングシーケンスは起動されず、独特の傾斜磁場コイル雑音は発生しないであろう。
【００１７】
しかしながら、センサが適切に配置されて、特別なイメージングシーケンスが患者の要望された生理的な過程によって適切に起動されるとき、傾斜磁場コイル雑音の独特の音響は聞きとれ、患者の生理的な過程のリズムに従うであろう。この方法で、オペレータがセンサ配置を調整するとき、起動されたイメージングシーケンスの音響はセンサの選択された生理的な過程または配置の適切性と信頼性に関してオペレータを誘導するリアルタイムの聞きとれるフィードバックとして使用することができる。さらに、本発明の方法はほとんどの型のＭＲＩ装置に僅かなまたは追加費用なしに容易に実施することができる。
【００１８】
本発明はＭＲＩガントリールーム内のセンサの最適位置を決定する本質的にはゼロ費用のフィードバック信号を提供する。可聴音を発生させるのに既存のＭＲＩ傾斜磁場コイルだけを使用する…現在患者に適用されるようなセンサによって起動されるので、発明はＭＲＩシステムに何らワイヤまたは回路を付加しない。既存のＭＲＩシステムコイルに頼るので、発明は安価である(特に従来のオシロスコープフィードバック装置から見て)。そのうえ、発明は鼓動または他の生理的な状態によって直接起動される可聴音を提供する。この音響はセンサが適切に配置され機能していることを、または音響がないことにより、センサが鼓動または他の生理的な状態を適切に検出していないことを配置を実行しているＭＲＩ技術者に直接かつ明確に通知する。
【００１９】
この準備の段階の間、センサ信号が特定の短縮された（truncated）試験ゲートまたは起動シーケンス、例えば傾斜磁場コイルの一つに適用された単一パルスで直接起動するためＭＲＩシステムによって使用される。これは傾斜磁場コイルを振動、例えば、“鳴動”させ、ガントリールームのＭＲＩオペレータにより容易に聞きとることができる明瞭な音響を発生させる。センサが不適切に配置され、または誤動作していると、特別な試験シーケンスを起動せず、傾斜磁場コイルからのどんな明瞭な音響もないであろう。
【００２０】
患者に適用されたセンサからの良好な起動信号を得ることは問題がある場合がある。良好な信号を入手するために、センサは患者に適切に配置されなければならない。一般に、生理的な状態を検出するために患者の上にセンサを配置することは、ＭＲＩシステムオペレーターがセンサにより発生される独特の起動信号をセンサ位置決め過程にフィードバックとして見聞できることを必要とする。センサからのそのような起動信号指示を聞いたり見たりすることによって、オペレータはセンサが患者に適切に配置された時を決定することができる。例えば、ＥＫＧセンサは鼓動からの電気信号を適切に検出するように患者の上に配置されなければならない。センサが適切に置かれるかどうか決定するために、オペレータは患者の胸でセンサが鼓動信号を検出することができるところの期待された付近にセンサを置く。オペレータがセンサによって検出されている鼓動信号を見たり聞いたりできるように、センサはＥＫＧモニタに接続されるかもしれない。信号が明確および／または強くないならば、ＥＫＧ信号が強くて明確に検出されるまで、オペレータは胸周りでセンサを動かすことができる。同様に、センサ起動ＭＲＩ走査が行われる前に、ＭＲＩガントリールームの患者にセンサを置いている技術者は、センサが適切に配置されたことを確信するようにフィードバックを得る必要がある。この発明により、そのようなフィードバックは聞きとれる信号によって便利かつ直ちにガントリールーム内で提供され、そして、本質的にはゼロの付加費用で提供される。したがって、技術者は患者とガントリールームの外にあるモニタ間を行き来する必要はない。
【００２１】
音響ゲートモニタは患者設定中のみ使用される。オペレータはセンサシステム、例えば、ＥＫＧ、指の血量計（※「マグローヒル科学技術用語大辞典」では、綴りは"plethysmograph"として載っています）（plethismograph）、圧力カフ（cuff）、息流動計（breath flow）など何でも設定するためにルーム内にいなければならない。これは、生理的な信号をピックアップするために調整することを必要とする。オペレータは配置が正しいことをどのようにして知るか？ルームにオシロスコープを持つことは不便である：遮蔽がないならば、オシロスコープはイメージング開始のまえに設定のため持ち込まれかつ持ち出されねばならず、磁場はそれに影響する。コンソールモニタを見に行くことは非常に不便であり、患者センサでまたは磁石の近くで作業中に磁石から距離のあるスコープを見ることは不便である。したがって、オペレータは１回(またはそれ以上)傾斜シーケンス(干渉を起こすＲＦのない)を起動して、センサ調整がなされるとき耳をすます。オペレータは患者の上にセンサを置く。センサが正しく置かれるとき、コイルへのゲートパルスはオペレータによって聞き取れる音響を発生させる。これらの音響はセンサが適切に配置されたことオペレータに知らせる。一旦センサの適切な位置決めがコイルからの音響によって確認されると、オペレータはガントリールームを出て従来のイメージングシーケンスを開始する。
【００２２】
本発明によって得られる目的と利点は、特に添付図面と関連した好ましい例示的実施例の以下の詳細な記述の慎重な学習により理解されるであろう。
【００２３】
【発明の実施の形態】
図１はＭＲＩシステム１を示す。ＭＲＩシステムは患者イメージングボリウム１１を取り囲む実質的に一定均質の分極している静磁場(Ｂ０)を発生させる大きな分極磁石構造１０を含む。適当な台車、即ち患者テーブル２０は、患者１８の解剖学的構造の部分をイメージングボリウム１１内に挿入する。センサ２１は、鼓動、呼吸および／または循環系を通して流れる血液パルスなどの患者の生理的な状態を検出するために患者１８に適用される。患者、患者テーブル(ベッド)２０、磁石１０、およびコイル１２、１４、１６は外部ＲＦと電磁界の干渉から隔離される遮蔽されたガントリールーム４０に収容される。このルームから、技術者はイメージングのための患者、ベッド上の患者の位置を準備し、患者にセンサに取着する。一般に、技術者はガントリールームで利用可能なコンピュータ表示スクリーンのような監視エレクトロニクスを持たない。監視エレクトロニクスはＭＲイメージングおよび／またはかかる監視装置(例えば、ＣＲＴ)と干渉するＲＦ信号を発生することができ、監視装置は強い分極している磁場Ｂ０の存在のもとでは不動作になるかもしれない。したがって、センサ２１の適切な位置決めはこの発明なしでは扱い難くなり、繰り返しのセンサ位置決めとガントリールームの外のモニタへの行き来という退屈な仕事を必要とする。この発明はそのような問題を除去する。患者がイメージングのために一旦用意されると、技術者／オペレータはガントリールーム４０を出て、ワークステーション２２からイメージングシーケンスを制御する。
【００２４】
Ｂ０の傾斜はＭＲＩシーケンスプロセッサ２６によって作動される電磁傾斜磁場コイル１２によって選択的に作り出される。ＲＦ核の章動パルスはＲＦコイル１４によってイメージングボリューム内の患者組織に伝送される。ＭＲ信号を構成するＲＦ応答が適当なＲＦ検出コイル１６を通して患者組織から受信される。
【００２５】
ＭＲＩシステムオペレータはキーボード、スクリーン、および他のオペレータ入力/出力装置でコンピュータワークステーション２２を通してシステム１を制御する。一般に、ワークステーションは遮蔽されたイメージングルーム４０の外に位置する。ＭＲＩワークステーション２２はＭＲＩシステムを制御するＭＲＩシステムコンピュータ２４に電子的に接続される。コンピュータはオペレータのＭＲＩイメージシーケンスパラメタ選択をＭＲＩシステムの操作のための適当な命令に変換する。特に、コンピュータは適切な傾斜パルスプログラムモジュール２６(例えば、関連するメモリ装置から)の選択を制御し、順に傾斜磁場コイルを駆動する傾斜磁場増幅器２８に選択された磁気パルスシーケンスを適用する。ＭＲＩパルスシーケンスはセンサ出力信号によって起動されてもよい。
【００２６】
この発明では、特別な短縮されたテストシーケンスが患者設定の間使用のために選択され、それはコイルに振動を起こさせ、たとえあるとしても、現に利用可能な起動センサ出力と一致する音響を放出する唯一の目的のために、傾斜磁場コイル１２の一つに非イメージングパルスシーケンス(例えば、１つの直接パルス)を適用するように、コンピュータ２４がパルスプログラムモジュール２６に命令するようにさせる。
【００２７】
切り捨てられた(例えば、単一)パルスシーケンスの発生がＭＲＩパルスシーケンスのものよりもかなり簡単であるので、かかる操作のテストモードを実行する例示的な簡単なソフトウェアについてさらに説明する必要はない。当業者はＭＲＩシステムメモリの適当な部分に適当な切り捨てられたテストシーケンスを設ける工夫にどんな苦労もしないだろう。
【００２８】
ＭＲＩシステムでは、種々のコイルがＲＦ励起パルスを生成し、付随する傾斜磁場パルスは周知のＭＲＩ技術を使用しているＭＲＩ“獲得シーケンス”の間、ＭＲ信号をもたらしかつ獲得する。各獲得シーケンス(または、一連のシーケンス)はＥＫＧセンサ２１(図１)からの鼓動信号のような事象によって起動されるかもしれない。
【００２９】
患者に適用された生理的なセンサ２１は患者の鼓動、呼吸および／または循環系における血液パルスなどのような状態を監視する。センサが鼓動、呼吸または血液パルスの発生を検出するとき、適切に設置されているなら、それはセンサ起動信号６２をＭＲＩコンピュータ２２に発生させる。コンピュータ２２は、ＭＲＩ獲得シーケンスを起動するため、または獲得シーケンスを禁止するためにセンサ信号を適用するかもしれない。例えば、ＥＫＧ信号は、シーケンスが鼓動に相当することになっているところでシーケンスを起動するために使用されるかもしれない。別の例では、呼吸信号は、呼吸中の患者の動きが画像をぼかすかもしれないところで獲得シーケンスを禁止するのに使用されるかもしれない。
【００３０】
しかしながら、本発明では、特別なセンサ試験モードが備えられ、そこでは傾斜パルス６４が傾斜磁場コイルの１つ以上に音響的“鳴動(ring)”を適用する。この試験“鳴動”パルスは発生されるセンサ信号６２により、例えば患者の上に置かれた鼓動センサにより起動される(ゲートを通される)。聞きとれる音響が傾斜パルス６４により起こされ、鼓動センサが適切に機能していて、かつ鼓動信号を検出していることをガントリールーム(またはほかの場所)にいるＭＲＩシステム技術者／オペレータに直ちに通知する。オペレータが周期的、例えば手動で検出された患者パルスを有する時間で1秒の１／６０毎に一度傾斜磁場コイルからの聞きとれる鳴動を聞かないなら、オペレータは鼓動がセンサによって適切に検出されていないと仮定することができる。オペレータはそのとき、センサが位置を変えられるべきであるか、または別の方法で点検されるべきであるかを決めることができる。
【００３１】
センサ信号が適用されている使用は信号の型、例えばＥＫＧ鼓動信号、呼吸および血液パルス、およびオペレータにより選択されるＭＲＩ操作のモードに依存する。その上、初期の試験モードでは、非イメージングシーケンスだけ(聞きとれる音響を発生させることのみを意図される)がセンサによって起動される必要がある。特に、センサ起動信号６２を受け取ると、コンピュータ２２は傾斜パルスプログラムモジュール２６に特別な試験パルスシーケンス６４を発生させ、それは傾斜磁場コイルの一つを振動（“鳴動”）させ、それによって聞きとれる音響を作り出す。この音響はセンサが患者の要望された生理的な状態を適切に検出していることの表示としてＭＲＩシステムオペレータにより聞かれるであろう。
【００３２】
試験シーケンスは傾斜磁場コイルに聞きとれる鳴動をさせること以外の目的を持たず、正規のＭＲＩパルスシーケンスに影響を及ぼさないであろう。本当に、傾斜パルス６４は少しも無線周波数(ＲＦ)パルスなしで適用される。一般に、オペレータがガントリールームのベッド２０上の患者に予習させている間、画像を描くことはないであろう。したがって、通常、完全なＭＲＩパルスシーケンス(例えば、ＲＦパルスを含んでいる)をＭＲＩシステムのコイルに適用する必要性または要望はないであろう。
【００３３】
傾斜磁場コイルの振動によって引き起こされる雑音は傾斜磁場コイルへ適用しているパルスシーケンスの共通の、通常不利な副作用である。しかしながら、本発明はセンサ２１起動出力からの聞き取れるフィードバックとしてこれらの音響を提供することによりかかるコイル音響の積極的な使用を作る。
【００３４】
患者がイメージングのために用意ができていて、(本発明によって発生したコイル音響を使用して)センサが患者に適切に配置された後に、オペレータはＭＲＩガントリールームを去り、ＭＲＩコントロールルームに入る。コントロールルームから、オペレータは通常かつ従来のようにＭＲイメージングを開始して制御する。
【００３５】
【発明の効果】
この発明により、フィードバックは聞きとれる信号によって便利かつ直ちにガントリールーム内で提供され、そして、本質的にはゼロの付加費用で提供される。したがって、技術者は患者とガントリールームの外にあるモニタ間を行き来する必要はないなどの利点がある。
【００３６】
発明は現在好ましい実施例であると考えられるものに関して説明されたが、発明は開示された実施例に限定されず、反対に、この開示から当業者に明らかであり、請求の範囲内に入るものを含んでいる発明のすべての修正および変形をカバーするように意図されていることが理解されるべきである。
【図面の簡単な説明】
【図１】この発明を採用する例示的ＭＲＩシステムの概要図である。
【図２】図１のシステムのセンサ信号によって起動される例示的試験傾斜パルス列の傾斜パルスタイミング図である。
【符号の説明】
１０…磁石  １２…傾斜コイル  １４、１６…ＲＦコイル  １８…患者  ２１…センサ  ２４…コンピュータ  ２６…特定の切り捨てられた傾斜センサ試験（１）パルスプログラムメモリ  ４０…ガントリールーム
【図１】
0004060599.tif 000002
【図２】
0004060599.tif 000003